(57)【要約】【課題】誤入力を防止することが可能なデジタル複合機を提供する。【解決手段】デジタル複合機は、操作部の複数のキーのそれぞれの操作を受け付けてデジタル複合機を使用できる第１のモードと、複数のキーのいずれかが操作されることにより、この操作を受け付けて第１のモードへ遷移する以外はキーの操作の受け付けを拒否すると共に第１のモードより消費電力が抑えられている第２のモードと、の間を遷移可能に制御するモード制御部と、第２のモードから第１のモードへ遷移した際に音声メッセージで報知をする報知部と、を備える。【選択図】図２
2007300564.tif 000002
【特許請求の範囲】
【請求項１】
複数のキーを備える画像処理装置であって、
前記複数のキーのそれぞれの操作を受け付けて前記画像処理装置を使用できる第１のモードと、前記複数のキーのいずれかが操作されることにより、この操作を受け付けて前記第１のモードへ遷移する以外はキーの操作の受け付けを拒否すると共に前記第１のモードより消費電力が抑えられている第２のモードと、の間を遷移可能に制御するモード制御部と、
前記第２のモードから前記第１のモードへ遷移した際に音声メッセージで報知をする報知部と、を備える
ことを特徴とする画像処理装置。
【請求項２】
前記報知部は、前記第１のモードへ遷移するための前記複数のキーのいずれかの操作のうち操作したキーに応じて、前記報知をするか否かを選択する
ことを特徴とする請求項１に記載の画像処理装置。
【請求項３】
前記第１のモードでは、前記報知が終了するまで、前記複数のキーのそれぞれの操作の受け付けを拒否する
ことを特徴とする請求項１又は２に記載の画像処理装置。
【請求項４】
ユーザの設定によって、前記報知をするか否かを選択できる
ことを特徴とする請求項１〜３のいずれか一項に記載の画像処理装置。
【請求項５】
複数のキーを備える画像処理装置であって、
前記複数のキーのそれぞれの操作を受け付けて前記画像処理装置を使用できる第１のモードと、前記複数のキーのいずれかが操作されることにより、この操作を受け付けて前記第１のモードへ遷移する以外はキーの操作の受け付けを拒否すると共に前記第１のモードより消費電力が抑えられている第２のモードと、の間を遷移可能に制御するモード制御部と、
前記第１のモードで前記複数のキーのそれぞれの操作を受け付けたことを表す第１の操作音及び前記第１のモードへ遷移するための前記複数のキーのいずれかの操作を受け付けたことを表すと共に第１の操作音と異なる音の第２の操作音を出力する音出力部と、を備える
ことを特徴とする画像処理装置。
【請求項６】
複数のキーを備える画像処理装置であって、
前記複数のキーのそれぞれの操作を受け付けて前記画像処理装置を使用できる第１のモードと、前記複数のキーのいずれかが操作されることにより、この操作を受け付けて前記第１のモードへ遷移する以外はキーの操作の受け付けを拒否すると共に前記第１のモードより消費電力が抑えられている第２のモードと、の間を遷移可能に制御するモード制御部と、
前記第１のモードで前記複数のキーのそれぞれの操作を受け付けたことを表す操作音を出力すると共に前記第１のモードへ遷移するための前記複数のキーのいずれかの操作を受け付けるときは操作音を出力しない音出力部と、を備える
ことを特徴とする画像処理装置。
【発明の詳細な説明】
【技術分野】
【０００１】
本発明は、例えばデジタル複合機に備えられる画像処理装置に関するものであり、特に、画像処理装置を使用していない場合に消費電力が抑えられるモードに遷移する機能を有する画像処理装置に関する。
【背景技術】
【０００２】
携帯電話には、入力済みの電話番号が先頭に市外識別コード「０」がなくかつ「１１０」等の特殊番号でない場合、入力済みの電話番号の桁を一桁増やして先頭桁を空けるように入力済みの電話番号を桁送りすると共に空いた先頭桁に市外識別コード「０」を付加することによって正しい電話番号を発生し、これにより電話番号の押し忘れを防止することができるものがある（例えば特許文献１参照）。また、ファクシミリ装置には、テンキーを操作して電話番号を入力した際にチャタリング等が原因で誤入力が発生すると警告するものがある（例えば特許文献２参照）。
【特許文献１】特開２００５−１７５７６２号公報
【特許文献２】特開２００２−３６６２８６号公報
【発明の開示】
【発明が解決しようとする課題】
【０００３】
本発明の目的は、誤入力を防止することが可能な画像処理装置を提供することである。
【課題を解決するための手段】
【０００４】
本発明に係る画像処理装置の一態様は、複数のキーを備える画像処理装置であって、前記複数のキーのそれぞれの操作を受け付けて前記画像処理装置を使用できる第１のモードと、前記複数のキーのいずれかが操作されることにより、この操作を受け付けて前記第１のモードへ遷移する以外はキーの操作の受け付けを拒否すると共に前記第１のモードより消費電力が抑えられている第２のモードと、の間を遷移可能に制御するモード制御部と、前記第２のモードから前記第１のモードへ遷移した際に音声メッセージで報知をする報知部と、を備える。
【０００５】
本発明に係る画像処理装置の一態様において、前記報知部は、前記第１のモードへ遷移するための前記複数のキーのいずれかの操作のうち操作したキーに応じて、前記報知をするか否かを選択する、ようにすることができる。
【０００６】
本発明に係る画像処理装置の一態様において、前記第１のモードでは、前記報知が終了するまで、前記複数のキーのそれぞれの操作の受け付けを拒否する、ようにすることができる。
【０００７】
本発明に係る画像処理装置の一態様において、ユーザの設定によって、前記報知をするか否かを選択できる、ようにすることができる。
【０００８】
本発明に係る画像処理装置の他の態様は、複数のキーを備える画像処理装置であって、前記複数のキーのそれぞれの操作を受け付けて前記画像処理装置を使用できる第１のモードと、前記複数のキーのいずれかが操作されることにより、この操作を受け付けて前記第１のモードへ遷移する以外はキーの操作の受け付けを拒否すると共に前記第１のモードより消費電力が抑えられている第２のモードと、の間を遷移可能に制御するモード制御部と、前記第１のモードで前記複数のキーのそれぞれの操作を受け付けたことを表す第１の操作音及び前記第１のモードへ遷移するための前記複数のキーのいずれかの操作を受け付けたことを表すと共に第１の操作音と異なる音の第２の操作音を出力する音出力部と、を備える。
【０００９】
本発明に係る画像処理装置のさらに他の態様は、複数のキーを備える画像処理装置であって、前記複数のキーのそれぞれの操作を受け付けて前記画像処理装置を使用できる第１のモードと、前記複数のキーのいずれかが操作されることにより、この操作を受け付けて前記第１のモードへ遷移する以外はキーの操作の受け付けを拒否すると共に前記第１のモードより消費電力が抑えられている第２のモードと、の間を遷移可能に制御するモード制御部と、前記第１のモードで前記複数のキーのそれぞれの操作を受け付けたことを表す操作音を出力すると共に前記第１のモードへ遷移するための前記複数のキーのいずれかの操作を受け付けるときは操作音を出力しない音出力部と、を備える。
【発明の効果】
【００１０】
本発明に係る画像処理装置の一態様によれば、第２のモードから第１のモードへ遷移した際に音声メッセージで報知する。このため、画像処理装置が第２のモードの状態にあった場合、ユーザは、最初のキーの操作による入力が第１のモードでの入力ではなく、第２のモードから第１のモードへ遷移するための入力であることを知ることができる。よって、本発明の一態様によれば、画像処理装置への誤入力を防止することができる。
【００１１】
本発明に係る画像処理装置の他の態様によれば、第１のモードで複数のキーのそれぞれの操作を受け付けたことを表す第１の操作音と、第１のモードへ遷移するための複数のキーのいずれかの操作を受け付けたことを表す第２の操作音を、互いに異なる音にしている。このため、画像処理装置が第２のモードの状態にあった場合、ユーザは、最初のキーの操作による入力が第１のモードでの入力ではなく、第２のモードから第１のモードへ遷移するための入力であることを知ることができるので、誤入力を防止することができる。
【００１２】
本発明に係る画像処理装置のさらに他の態様によれば、第１のモードで複数のキーのそれぞれの操作を受け付けたことを表す操作音を出力すると共に第１のモードへ遷移するための複数のキーのいずれかの操作を受け付けるときは操作音を出力しないようにしている。このため、画像処理装置が第２のモードの状態にあった場合、ユーザは、最初のキーの操作による入力が第１のモードでの入力ではなく、第２のモードから第１のモードへ遷移するための入力であることを知ることができるので、誤入力を防止することができる。
【発明を実施するための最良の形態】
【００１３】
本発明の実施形態について図面を用いて説明する。図１は、本実施形態に係るデジタル複合機１のハードウェア構成を示すブロック図である。デジタル複合機１は、画像処理装置の一例であり、コピー、プリンタ、スキャナ及びファクシミリの機能を有する。
【００１４】
デジタル複合機１は、制御部３、画像読取部５、画像記録部７、表示部９、操作部１１、音出力部１３、モデム１５、ＮＣＵ１７、ＲＯＭ１９、ＲＡＭ２１、画像メモリ２３、コーデック２５、ＬＡＮインターフェース２７等が相互にバス２９で接続された構成を有する。制御部３は、例えばＣＰＵにより実現されており、デジタル複合機１を構成する上記ハードウェアを制御すると共にデジタル複合機１の動作に必要なソフトウェアを実行する。
【００１５】
画像読取部５は、ＣＣＤ等によって原稿（文字、図、写真等）を読み取って画像データとして出力する。画像記録部７は、電子写真方式等のプリンタであり、画像読取部５から出力された画像データやファクシミリ通信により受信した別のファクシミリ装置からの画像データをプリントアウトする。
【００１６】
表示部９は、デジタル複合機１の動作状態、相手先名、各種設定内容等を表示する。表示部９は、ＬＣＤ、ＣＲＴ等で実現される。操作部１１は、デジタル複合機１の操作に必要な複数のキー（テンキー、短縮キー、ワンタッチキー、スタートキー、リセットキー、クリアキー、各種のファンクションキー等）を備える。
【００１７】
音出力部１３は、スピーカ等により実現され、上記キーのそれぞれの操作が受け付けられた際の操作音や後で説明する誤入力防止のための音声メッセージ等を出力する。
【００１８】
モデム１５は、通常のファクシミリ通信用のファックスモデムの機能を有する。また、モデム１５は、ＮＣＵ１７と直接に接続されている。ＮＣＵ１７は、公衆電話回線Ｌを閉結及び開放する機能の他に、通信相手の電話番号に応じたダイヤルパルスを送出する機能及び着信を検出する機能を有する。また、ＮＣＵ１７は、モデム１５を必要に応じて公衆電話回線Ｌに接続する。
【００１９】
ＲＯＭ１９は、デジタル複合機１の動作に必要なソフトウェアを記憶している。ＲＡＭ２１は、ＳＲＡＭ、ＤＲＡＭ、フラッシュメモリ等により実現されており、ソフトウェアの実行時に発生するデータを一時的に記憶する。
【００２０】
画像メモリ２３は、ＤＲＡＭ等で実現されており、送信すべき画像データ、受信した画像データ、画像読取部５から出力された画像データ等を一時的に記憶する。コーデック２５は、画像データを符号化圧縮すると共に符号化圧縮されている画像データを復号する。ＬＡＮインターフェース２７は、デジタル複合機１がＬＡＮと通信可能に接続するインターフェースである。
【００２１】
本実施形態に係るデジタル複合機１は、操作部１１の上記複数のキーのそれぞれの操作を受け付けてデジタル複合機１をコピー、プリンタ、スキャナやファクシミリとして使用できる第１のモードと、第１のモードより消費電力が抑えられている第２のモードと、の間を遷移可能にされている。第２のモードは、例えば節電モードと称され、デジタル複合機１が一定時間使用されない場合や第２のモードへ強制的に遷移させるキーを操作した場合に、第１のモードから遷移するモードである。第２のモードでは、表示部９の表示を消すこと等により、デジタル複合機１の消費電力を減らしている。
【００２２】
制御部３は、第１のモードと第２のモードとの間を遷移可能に制御するモード制御部として機能する。また、制御部３及び音出力部１３は、第２のモードから第１のモードへ遷移した際に音声メッセージで報知をする報知部として機能する。
【００２３】
第２のモードでは、デジタル複合機１を使用できず、デジタル複合機１を使用するには、操作部１１の複数のキーのいずれかを操作することによって、第２のモードから第１のモードへ遷移させなければならない。すなわち、第２のモードでは、操作部１１の複数のキーのいずれかが操作されることにより、この操作を受け付けて第１のモードへ遷移する以外、キーの操作の受け付けを拒否している。これによって、以下に説明する誤入力が発生する。
【００２４】
ユーザが、デジタル複合機１が第２のモードであることに気づかずに、例えばファクシミリ送信のために操作部１１のテンキーを操作して宛先の電話番号（例えば０７５・・・・・）を入力したとする。デジタル複合機１は第２のモードなので、最初の「０」キーの操作は、第２のモードから第１のモードへの遷移の指令として受け付けれ、「０」の入力として受け付けられていない。したがって、電話番号の最初の「０」が入力されていない状態で、「７」、「５」、・・・の入力がされるので、誤入力となる。
【００２５】
本実施形態に係るデジタル複合機１は、第２のモードから第１のモードへ遷移した際に、音声メッセージで報知をすることによって、誤入力を防止している。この報知動作について説明する。
【００２６】
図２は、報知動作の第１例を説明するフローチャートである。デジタル複合機１は、例えば節電モードと称される第２のモードの状態にある。まず、操作部１１の複数のキーのいずれかがユーザによって操作されたか判断する（ステップＳ１）。操作されていない場合（No）、ステップＳ１が繰り返される。
【００２７】
操作された場合（Yes）、第２のモードから第１のモードへ遷移した際に音声メッセージで報知することが選択されているか判断する（ステップＳ３）。ユーザの設定によって、上記報知をするか否かを選択できる。静かな環境を望むユーザは、上記報知をしない設定にすることにより、音声メッセージが出力されないようにしてもよい。
【００２８】
音声メッセージで報知することが選択されていた場合(Yes)、ステップＳ１で操作されたキーが所定のキーか判断する（ステップＳ５）。操作部１１のいずれのキーを操作しても、第２のモードから第１のモードへ遷移することができる。しかし、第２のモードから第１のモードへ遷移した際に音声メッセージで報知することを、全てのキーについて対象にする必要はない。
【００２９】
例えば、ユーザが第２のモードから第１のモードへの遷移を目的で、スタートキーやリセットキーを最初に操作した場合にまで、音声メッセージで報知する必要はない。したがって、ユーザが最初に操作したキーが、例えばスタートキーやリセットキーの場合、音声メッセージで報知しないようにする。
【００３０】
一方、上記説明の通り、第２のモードの状態で、ユーザがファクシミリ送信のためにテンキーを操作して電話番号の入力をした場合、最初に操作したキーは電話番号の入力でなく、第２のモードから第１のモードへの遷移に利用されるので、これが原因で誤入力が発生する。また、例えば、第１のモードでコピー機能が選択された状態で、第２のモードへ遷移した場合、ユーザがファクシミリ送信のためにファクシミリを選択するキー（ファンクションキーのうちの一つ）を操作しても、それは第２のモードから第１のモードへの遷移に利用される。したがって、デジタル複合機１は第１のモードへ遷移すると、コピー機能が選択された状態となり、ファクシミリ送信が選択されていない誤入力が発生する。
【００３１】
以上の理由により、本実施形態において、報知部は、第１のモードへ遷移するための複数のキーのいずれかの操作のうち操作したキーに応じて、第２のモードから第１のモードへ遷移した際に音声メッセージで報知をするか否かを選択するようにしている。報知部の機能は、上記の通り、制御部３及び音出力部１３により実現される。
【００３２】
まず、ステップＳ５において、ステップＳ１で操作されたキーが所定のキーか判断する。所定のキーは、例えば、テンキーやファクシミリ、コピー、プリンタ、スキャナを切り替えるためのキーである。所定のキーの場合(Yes)、モード制御部はデジタル複合機１を第２のモードから第１のモードへ遷移させる（ステップＳ７）。モード制御部の機能は、上記の通り、制御部３により実現される。  
【００３３】
そして、音出力部１３から音声メッセージを出力して、第２のモードから第１のモードへ遷移したことをユーザに報知する（ステップＳ９）。音声メッセージの内容として、例えば、「節電モードから復帰しました。キーをご入力下さい。」や「節電モードから復帰しました。最初のキーの操作は受け付けられませんでした。」が考えられる。
【００３４】
音声メッセージの出力中、第１のモードにおいて、操作部１１の複数のキーそれぞれについて操作を受け付けると、これらの操作による入力を取り消すためにクリアキーを操作する必要が生じる。なぜなら、最初のキーの操作は、第２のモードから第１のモードへの遷移のための操作として受け付けられているので、最初のキーの操作での入力をやり直す必要があるからである（上記説明した電話番号の入力では「０」キーの入力をやり直す必要がある。）。そこで、本実施形態では、音声メッセージによる報知が終了するまで、第１のモードにおいて、複数のキーのそれぞれの操作の受け付けを拒否している。
【００３５】
ステップＳ３において、音声メッセージで報知することを選択しない設定がされていた場合(No)、モード制御部は、デジタル複合機１を第２のモードから第１のモードへ遷移させる（ステップＳ１１）。第２のモードから第１のモードへ遷移した際の音声メッセージの報知は実行されない。
【００３６】
また、ステップＳ５において、ステップＳ１で操作されたキーが所定のキーでない場合(No)、例えば、スタートキーが操作された場合、ステップＳ１１へ進む。
【００３７】
本実施形態の主な効果を説明する。本実施形態によれば、第２のモードから第１のモードへ遷移した際に音声メッセージで報知する。このため、第２のモードの状態のデジタル複合機１に対して、ユーザがキーを操作して入力した場合、ユーザは最初のキーの操作による入力が第１のモードでの入力ではなく、第２のモードから第１のモードへ遷移するための入力であることを知ることができる。したがって、本実施形態によれば、デジタル複合機１への誤入力を防止することができる。
【００３８】
本実施形態に係る報知動作の第２例を説明する。図３は、これを説明するフローチャートである。この例は、第２のモードが二段階に分けられている場合の報知動作である。例えば、最初の段階を低電力モードと称し、次の段階をスリープモードと称する。スリープモードでは、低電力モードよりもデジタル複合機１の消費電力が抑えられる。低電力モード及びスリープモードでは、操作部１１の複数のキーのいずれかが操作されることにより、この操作を受け付けて第１のモードへ遷移する以外、キーの操作の受け付けを拒否している。
【００３９】
第１のモードから第２のモードへ遷移すると、まず、低電力モードにされる（ステップＳ０）。次に、第１例と同様に、操作部１１の複数のキーのいずれかがユーザによって操作されたか判断する（ステップＳ１）。操作された場合(Yes)は、その後のステップは第１例と同じである。
【００４０】
操作されていない場合（No）、スリープモードへ遷移するための一定時間が経過したか判断される（ステップＳ１３）。経過していない場合(No)、ステップＳ１に戻る。経過した場合(Yes)、スリープモードへ遷移する（ステップＳ１５）。そして、操作部１１の複数のキーのいずれかがユーザによって操作されたか判断する（ステップＳ１７）。操作されていない場合（No）、ステップＳ１７が繰り返される。一方、操作された場合(Yes)、ステップＳ３へ進む。この後は、第１例と同じである。
【００４１】
次に、図４を用いて、本実施形態に係る報知動作の第３例を説明する。図４は、これを説明するフローチャートである。この例では、キーの操作を受け付けたことを表す操作音を異ならせている。すなわち、音出力部１３からはキーの操作を受け付けたことを表す操作音が出力される。（１）第１のモードで操作部１１の複数のキーのそれぞれの操作を受け付けたことを表す第１の操作音と、（２）第１のモードへ遷移するための操作部１１の複数のキーのいずれかの操作を受け付けたことを表す第２の操作音を、互いに音を異ならせている。第２の操作音の出力を、第２のモードから第１のモードへ遷移した際の報知にしている。
【００４２】
まず、第１例と同様に、操作部１１の複数のキーのいずれかがユーザによって操作されたか判断する（ステップＴ１）。操作されていない場合（No）、ステップＴ１が繰り返される。
【００４３】
操作された場合（Yes）、第１の操作音（例えば、「ピッ」）と異なる音の第２の操作音（例えば、「ピー」）が音出力部１３から出力される（ステップＴ３）。そして、モード制御部はデジタル複合機１を第２のモードから第１のモードへ遷移させる（ステップＴ５）。
【００４４】
なお、第２の操作音を第１の操作音と音を異ならせる替わりに、第１のモードへ遷移するための操作部１１の複数のキーのいずれかの操作を受け付けるときは、操作音を出力しないようにし、これを第２のモードから第１のモードへ遷移した際の報知にしてもよい。
【００４５】
第３例においても、デジタル複合機１が第２のモードの状態で、ユーザがキーを操作して入力した場合、第２のモードから第１のモードへ遷移したことを報知している。このため、ユーザは、最初のキーの操作による入力が第１のモードでの入力ではなく、第２のモードから第１のモードへ遷移するための入力であることを知ることができるので、誤入力を防止することができる。
【図面の簡単な説明】
【００４６】
【図１】本実施形態に係るデジタル複合機のハードウェア構成を示すブロック図である。
【図２】本実施形態に係る報知動作の第１例を説明するフローチャートである。
【図３】同第２例を説明するフローチャートである。
【図４】同第３例を説明するフローチャートである。
【符号の説明】
【００４７】
１・・・デジタル複合機、３・・・制御部、５・・・画像読取部、７・・・画像記録部、９・・・表示部、１１・・・操作部、１３・・・音出力部、１５・・・モデム、１７・・・ＮＣＵ、１９・・・ＲＯＭ、２１・・・ＲＡＭ、２３・・・画像メモリ、２５・・・コーデック、２７・・・ＬＡＮインターフェース、２９・・・バス、Ｌ・・・公衆電話回線
【図１】
2007300564.tif 000003
【図２】
2007300564.tif 000004
【図３】
2007300564.tif 000005
【図４】
2007300564.tif 000006